(57)【要約】【課題】特に近距離〜中距離での装用を主とするとともに、３〜５ｍのあまり遠くない程度の遠距離の物体も比較的見えやすくなるように設計可能な累進屈折力レンズを提供すること。【解決手段】遠用領域と近用領域とこれら領域の間に配置され屈折力が累進的に変化する累進領域を備え、加入勾配（Ｄ）、加入度（ＡＤＤ）及び累進帯長さ（Ｌ）がＤ＝ＡＤＤ／Ｌで示され、遠用領域から近用領域にかけて加入度が徐々に付加されていくように加入勾配が設定された累進屈折力レンズにおいて、累進帯長さ全長を１９ｍｍよりも長く設定する一方で、少なくとも近用領域に至る間の累進領域の下方域の加入勾配がＤ＝ＡＤＤ／λ  （λを固有累進帯長さと定義する：λ≦１９ｍｍ）で示され、より好ましくは累進領域の上方域の加入勾配が下方域の加入勾配よりも小さいこと。【選択図】        図５
2008065358.tif 000002
【特許請求の範囲】
【請求項１】
レンズ上方に配置された比較的遠方を見るための第１の屈折領域と、同第１の屈折領域よりも下方に配置され同第１の屈折領域よりも大きな屈折力を有する第２の屈折領域と、これら領域の間に配置され屈折力が累進的に変化する累進領域を備え、加入勾配（Ｄ）、加入度（ＡＤＤ）及び累進帯長さ（Ｌ）が次の関係式で示され、
Ｄ＝ＡＤＤ／Ｌ
同第１の屈折領域から第２の屈折領域にかけて加入度が徐々に付加されていくように加入勾配が設定された累進屈折力レンズにおいて、
累進帯長さ全長を１９ｍｍよりも長く設定する一方で、少なくとも前記第２の屈折領域に至る間の累進領域の下方域の加入勾配が次の関係式で示され、
Ｄ＝ＡＤＤ／λ  （λを固有累進帯長さと定義する）
λ≦１９ｍｍと設定されることを特徴とする累進屈折力レンズ。
【請求項２】
遠用アイポイントにおける加入割合を累進帯長さ全体での加入に対して１３〜３７％としたことを特徴とする請求項１に記載の累進屈折力レンズ。
【請求項３】
前記第１の屈折領域入り口の位置は前記遠用アイポイント位置よりも４〜８ｍｍ上方に設定されていることを特徴とする請求項１〜３のいずれかに記載の累進屈折力レンズ。
【請求項４】
前記第２の屈折領域入り口の位置は前記遠用アイポイント位置よりも９〜１７ｍｍ下方に設定されていることを特徴とする請求項１又は２に記載の累進屈折力レンズ。
【請求項５】
前記累進領域の上方域の加入勾配の平均値と前記累進領域の下方域の加入勾配の平均値とが異なることを特徴とする請求項１又は２に記載の累進屈折力レンズ。
【請求項６】
前記累進領域の上方域の加入勾配の平均値は前記累進領域の下方域の加入勾配の平均値よりも小さいことを特徴とする請求項５に記載の累進屈折力レンズ。
【請求項７】
前記累進領域の上方域における加入勾配はほぼ一定に推移し、所定の勾配変化点を不連続的に通過した後に前記累進領域の下方域に至り再びほぼ一定に推移することを特徴とする請求項１、２、５又は６に記載の累進屈折力レンズ。
【請求項８】
前記所定の勾配変化点は累進帯長さの１／３〜２／３の間にあることを特徴とする請求項７に記載の累進屈折力レンズ。
【請求項９】
前記所定の勾配変化点は前記遠用アイポイント位置又は同遠用アイポイント近傍位置に設定されることを特徴とする請求項７又は８に記載の累進屈折力レンズ。
【請求項１０】
前記第１の屈折領域入り口の位置は前記遠用アイポイント位置よりも７〜１３ｍｍ上方に設定されていることを特徴とする請求項５〜９のいずれかに記載の累進屈折力レンズ。
【発明の詳細な説明】
【技術分野】
【０００１】
本発明は老視補正用の眼鏡に使用される累進屈折力レンズに関するものである。
【背景技術】
【０００２】
高齢により眼の水晶体による調節機能が低下し近方視が困難な状態が老視である。この老視に対する矯正用の眼鏡に累進屈折力レンズが使用されている。
一般的に累進屈折力レンズは屈折力のそれぞれ異なる２つの屈折領域と、それら両領域の間で屈折力（度数）が累進的に変わる累進領域とを備えた非球面レンズとされており、境目がなく１枚のレンズで遠くのものから近くのものまで見ることができるものである。ここに２つの領域とはレンズの上方位置に設定された遠用部領域と、レンズの下方位置に設定された近用部領域の２つの領域のことである。遠用部領域と近用部領域との移行帯である累進領域は滑らかかつ連続的に連結されている。
遠用部領域は主として遠距離の物体を目視するための領域であり、近用部領域は主として近距離の物体を目視するための領域であり、累進領域は主として中距離の物体を目視するための領域である。もっとも累進屈折力レンズは屈折力が連続的に変化しているためこれら領域が明確に区画されているわけではない。
ここに、遠近等の距離の概念はしっかりとした区分けがされているわけではなく定義も決まってはいない。一般に遠距離とは２〜３ｍよりも遠くを言い、近距離とは５０ｃｍよりも手前側を言い、中距離とはこれらの中間距離を言う。
【０００３】
ところで、累進屈折力レンズにおいてはすべての距離の物体がはっきりと見えるといった、マルチパーパス的なレンズを設計することは実際にはできず、全ての距離に対して平均的に見えやすいとか特定の距離に対してはっきり見えるとか装用者の目的に合わせて設計がされるものである。そのため、例えば近距離〜中距離を主体とした設計の累進屈折力レンズを使用した眼鏡であればある程度は遠距離における見え方が犠牲になるのは仕方のないことである。
レンズ設計においては遠用部領域から近用部領域に至る屈折力の変化、つまり加入度と加入勾配をいかに設定するかによって装用者の求めるレンズを設計することとなる。近距離〜中距離で装用することを念頭においたレンズの一例として特許文献１を挙げる。
【特許文献１】特許第２８６１８９２号公報
【発明の開示】
【発明が解決しようとする課題】
【０００４】
ここに近距離〜中距離での装用を目的とした従来のレンズとして図３又は図６の破線で示すグラフのような特性を示すものがある。
このレンズ特性では加入勾配が小さく（図３や図６において斜線の傾斜が急）設定されるとともに累進領域から近用部領域にかけての加入度が大きく設定されている。加入勾配が小さいため非点収差が緩和されて装用者が目線を主注視線を上下させた際の違和感が減り、更にアイポイント付近から下方域にかけての加入度が大きいため近距離〜中距離において良く見えるという利点があるものの、遠用アイポイント位置においてすら加入度がかなり大きいため極端に遠距離が見えにくい設定となっている。
本来ユーザはこのような特性であることを理解してこのレンズを装着した眼鏡を購入するわけであるが、極端に遠距離が見えにくいということは遠距離とも中距離ともいえる３〜５ｍ程度の距離において必ずしもよく見えないということとなる。上記のように距離の概念は決まっているわけではないため、３〜５ｍ程度の距離は遠距離ともいえるのであるが、ユーザによってはこのくらいの距離は中距離と認識することもあり、そうであれば近距離〜中距離が見える眼鏡のはずなのに実際には中距離はよく見えないと不満を感じる場合がある。
更に、このグラフように遠用アイポイント位置においてかなり大きな加入度が設定されているとかなり上側を目視しないと（つまり上目使いにしないと）遠距離は見ることができず不便となる。
本発明は、このような従来の技術に存在する問題点に着目してなされたものである。その目的は、特に近距離〜中距離での装用を主とするとともに、３〜５ｍのあまり遠くない程度の遠距離の物体も比較的見えやすくなるように設計可能な累進屈折力レンズを提供することにある。
【課題を解決するための手段】
【０００５】
上記課題を解決するために請求項１の発明では、レンズ上方に配置された比較的遠方を見るための第１の屈折領域と、同第１の屈折領域よりも下方に配置され同第１の屈折領域よりも大きな屈折力を有する第２の屈折領域と、これら領域の間に配置され屈折力が累進的に変化する累進領域を備え、加入勾配（Ｄ）、加入度（ＡＤＤ）及び累進帯長さ（Ｌ）が次の関係式で示され、
Ｄ＝ＡＤＤ／Ｌ
同第１の屈折領域から第２の屈折領域にかけて加入度が徐々に付加されていくように加入勾配が設定された累進屈折力レンズにおいて、累進帯長さ全長を１９ｍｍよりも長く設定する一方で、少なくとも前記第２の屈折領域に至る間の累進領域の下方域の加入勾配が次の関係式で示され、
Ｄ＝ＡＤＤ／λ  （λを固有累進帯長さと定義する）
λ≦１９ｍｍと設定されることをその要旨とする。
また請求項２の発明では請求項１に記載の発明の構成に加え、遠用アイポイントにおける加入割合を累進帯長さ全体での加入に対して１３〜３７％としたことをその要旨とする。
また請求項３の発明では請求項１又は２の発明の構成に加え、前記第１の屈折領域入り口の位置を前記遠用アイポイント位置よりも４〜８ｍｍ上方に設定するようにしたことをその要旨とする。
また請求項４の発明では請求項１〜３に記載のいずれかの発明の構成に加え、前記第２の屈折領域入り口の位置を前記遠用アイポイント位置よりも９〜１７ｍｍ下方に設定するようにしたことをその要旨とする。
また請求項５の発明では請求項１又は２に記載の発明の構成に加え、前記累進領域の上方域の加入勾配の平均値と前記累進領域の下方域の加入勾配の平均値とが異なることをその要旨とする。
また請求項６の発明では請求項５に記載の発明の構成に加え、前記累進領域の上方域の加入勾配の平均値は前記累進領域の下方域の加入勾配の平均値よりも小さいことをその要旨とする。
また請求項７の発明では請求項１、２、５又は６のいずれかに記載の発明の構成に加え、前記累進領域の上方域における加入勾配はほぼ一定に推移し、所定の勾配変化点を不連続的に通過した後に前記累進領域の下方域に至り再びほぼ一定に推移するようにしたことをその要旨とする。
また請求項８の発明では請求項７に記載の発明の構成に加え、前記所定の勾配変化点は累進帯長さの１／３〜２／３の間にあるようにしたことをその要旨とする。
また請求項９の発明では請求項７又は８に記載の発明の構成に加え、前記所定の勾配変化点は前記遠用アイポイント位置又は同遠用アイポイント近傍位置に設定されるようにしたことをその要旨とする。
また請求項１０の発明では請求項５〜９のいずれかに記載の発明の構成に加え、前記第１の屈折領域入り口の位置は前記遠用アイポイント位置よりも７〜１３ｍｍ上方に設定されていることをその要旨とする。
【０００６】
上記のような構成では第１の屈折領域から第２の屈折領域にかけて加入度が徐々に付加されていくように加入勾配が設定された累進屈折力レンズにおいて累進帯長さ全長が１９ｍｍよりも長く設定されているにもかかわらず少なくとも第２の屈折領域に至るまでの累進領域の下方域の加入勾配におけるパラメータとして累進帯長さＬの代わりに固有累進帯長さλ≦１９ｍｍを使用して得られた値に設定している。そのため、特に第２の屈折領域に至る間の累進領域下方域での加入勾配を本来レンズに設定された所定の累進帯長さ（１９ｍｍよりも長い）から予定される加入勾配よりも大きく（つまり図３や図６において斜線の傾斜が緩）設定することが可能となる。
ここに加入勾配とは屈折力の変化、つまり加入度がどのように変化しているかを示す一般に中央基準線上において得られる指標値であって、加入勾配（Ｄ）、加入度（ＡＤＤ：単位はディオプタ）及び累進帯長さ（Ｌ：単位はｍｍ）とした場合に次の関係式で示される値である。
Ｄ＝ＡＤＤ／Ｌ
しかし、本発明では累進帯長さが１９ｍｍよりも長く設定されている設定されている累進屈折力レンズにおいて累進領域の下方域の加入勾配を次の関係式で示される値で設定したことが特徴である。
Ｄ＝ＡＤＤ／λ  （λ≦１９ｍｍ、λ：固有累進帯長さ）
【０００７】
ここにこのような設定の累進屈折力レンズにおいては遠用アイポイントにおける加入割合を累進帯長さ全体の１３〜３７％とすることが好ましい。
遠用アイポイントとは眼鏡装用者が正面視かつ遠方視をした場合に視線の通過するレンズ上の位置である。
また、加えてこのような設定の累進屈折力レンズにおいては第１の屈折領域入り口の位置を遠用アイポイント位置よりも４〜８ｍｍ上方に設定することが好ましく、更に５〜７ｍｍ上方に設定することが最も好ましい。
更に加えてこのような設定の累進屈折力レンズにおいては第２の屈折領域入り口の位置を遠用アイポイント位置よりも９〜１７ｍｍ下方に設定することが好ましく、更に１１〜１５ｍｍ下方に設定することが最も好ましい。
ここに、第１の屈折領域入り口及び第２の屈折領域入り口は理論的には徐々に加入されていく屈折力（度数）が第１及び第２の屈折領域の屈折力に達する位置であるといえるが、実際のレンズ設計においては不連続的、例えば屈曲した段差としてそれら入り口で急激に屈折力を変化させるわけにはいかない。つまり、レンズ表面は穏やかに第１及び第２の屈折領域に導入されなければならないため入り口付近では度数の変化が穏やかに（より好ましくは度数勾配の変化率が一定であること）設計されている。
このため図１０のグラフに示すように、仮想的にある地点を入り口と想定した場合にはその地点は未だ所定の度数に到達していないといえる。その結果、実際の度数測定装置による測定によって入り口を決定する場合には「入り口」と定義付ける範囲にはある程度の幅を持たせる必要がある。
具体的に入り口を決定する場合には入り口に隣接する度数変化の一定な領域が一定のままで到達するであろう理論上の到達点を入り口とする方法を採用する。度数変化の一定な領域の加入勾配を「平均加入勾配」として以下のように計算する。
遠用アイポイントにおける加入度（Ｄ）−Ａ×平均加入勾配＝０
となるようなＡ（単位：ｍｍ）の値を第１の屈折領域入り口（遠用アイポイントからＡｍｍ上方）として規定する。
同様に、遠用アイポイントにおける加入度（Ｄ）＋Ｂ×平均加入勾配＝当該レンズの加入度（Ｄ）
となるようなＢ（単位：ｍｍ）の値を第２の屈折領域入り口（遠用アイポイントからＢｍｍ下方）として規定する。
【０００８】
加えてこのような設定の累進屈折力レンズにおいては累進領域の上方域の加入勾配の平均値と累進領域の下方域の加入勾配の平均値とが異なることが好ましく、特に上方域の加入勾配の平均値より小さいことがより好ましい。
更に、このような異なる加入勾配を有する上方及び下方域では累進領域の上方域における加入勾配はほぼ一定に推移し、所定の変化点を不連続的に通過した後累進領域の下方域に至り再びほぼ一定に推移するように設定することが好ましく、その変化点は累進帯長さの１／３〜２／３の間にあるようにすることがより好ましい。加えて遠用アイポイント位置又は同遠用アイポイント近傍位置に設定されることが更に好ましい。理想は遠用アイポイントと一致することでで、遠用アイポイント近傍とは少なくとも上下方向のズレが±３ｍｍ以内であることが好ましい。
このように、上方及び下方域で異なる加入勾配特性を有する場合では第１の屈折領域入り口の位置は遠用アイポイント位置よりも７〜１３ｍｍ上方に設定されることが好ましく、更に１０〜１２ｍｍ上方に設定されることが最も好ましい。
【発明の効果】
【０００９】
上記請求項１〜１０の発明では、近距離〜中距離における最適なレンズ特性となる累進屈折力レンズが得られるとともに、遠距離における見えにくさを調整することが可能となるため眼鏡装用者の要望に応じた最適な累進屈折力レンズを提供することが可能となる。
【発明を実施するための最良の形態】
【００１０】
以下、本発明の具体的な実施の形態を図面に基づいて説明する。本実施の形態では特に近距離〜中距離が見えやすいいわゆる中近タイプの累進屈折力レンズについて説明する。尚、以下の各レンズは説明上一方のレンズのみを図示するが対になる他方のレンズは対称形状に形成されるものとする。
【００１１】
（実施の形態１）
本実施の形態１は図１に示すようなレイアウトに従ってレンズ設計がなされている。同図においてＯは幾何中心、Ｅ１は遠用アイポイント、Ｅ２は近用アイポイント、Ｐ１は遠用入り口、Ｑ１は近用入り口、Ｐ２は遠用度数測定位置、Ｑ２は近用度数測定位置、Ｉはインセット量である。
ここに、遠用アイポイントは装用者が正面視をした場合に瞳中心を通る水平線（つまり視線）が通過する位置である。全距離について平均的に見え易く（逆にいうと、特定の距離を見えやすくしたものに比較して対応する個々の距離は相対的に見えにくい）設定したいわゆる遠近タイプの累進屈折力レンズでは遠用アイポイントＥ１は遠用入り口Ｐ１とほぼ一致する。しかし、中近タイプの累進屈折力レンズでは装用者は累進領域の下方域を特に頻繁に使用するため図１に示すように遠用入り口Ｐ１は遠用アイポイントＥ１よりも上方に設定される。
実施の形態１では遠用入り口Ｐ１は遠用アイポイントＥ１よりも４〜６ｍｍ上方位置に設定される。この範囲ならば装用者に上目使いでの遠望視を強要することにはならない。本実施の形態１では遠用入り口Ｐ１は遠用アイポイントＥの１５ｍｍ上方に設定した。遠用度数測定位置Ｐ２は遠用入り口Ｐ１よりもわずかに上方に設定される。
また、実施の形態１では近用入り口Ｑ１は遠用アイポイントＥ１よりも１３〜１５ｍｍ下方位置に設定される。近用入り口Ｑ１は近用アイポイントＥ２と一致する。中近タイプの累進屈折力レンズでは、遠近タイプの累進屈折力レンズにくらべて装用者の近用視する比重が大きい。そのため、近用入り口は遠用アイポイントに近いほうが、近方視のための眼下方回旋を小さくできるので好ましい。しかしながら、近ければ近いほど良いわけではない。人間が机に向かって近業を行うとき、頭が自然に下を向いて目線も同時に下を向く。そうすれば、眼はおよそ９ｍｍ前後（レンズ透過位置において）下を見ることとなるため近用入り口は遠用アイポイントよりもかなり下方（９ｍｍより下方）とすることが望ましい。本実施の形態１では近用入り口Ｑ１は遠用アイポイントＥ１の１４ｍｍ下方に設定した。近用度数測定位置Ｑ２は近用入り口Ｑ１よりもわずかに下方に設定される。
【００１２】
インセットとは遠用視状態から近用視状態となった際の瞳中心を通る水平線が通過する位置が変位することをいい、インセット量Ｉとはその変位量である。測定値としては遠用アイポイントＥ１から近用アイポイントＥ２に至る範囲での水平方向の変位量として得られる。インセット量Ｉは一般的なユーザを前提に２〜３ｍｍの範囲でいくつかのサイズで固定してもよいが、本実施の形態１では装用者の個人的データに基づいて設定される。プリズム屈折力の測定を行う場合にはインセット量Ｉが重要となる。
水平方向におけるプリズム屈折力の測定位置は遠用入り口Ｐ１と近用入り口Ｑ１との中間位置、つまりインセットの中間位置であって±０．５ｍｍの範囲が最も好ましい。但し、インセット量Ｉが３．０ｍｍよりも大きい場合には、近用アイポイントＥ２の耳側あるいは遠用アイポイントＥ１から鼻側に１．０ｍｍの範囲に設置すれば結果は良好に得られる。
垂直方向におけるプリズム屈折力の測定位置は遠用アイポイントＥ１の下方４ｍｍ前後が最も好ましい。人が最も楽な状態の自然な視野の中央（常用視線）が、眼鏡レンズの位置でアイポイントのおよそ３ｍｍ下方になる。中近タイプの累進屈折力レンズでは常用視線よりもやや低い位置でプリズムを合わせると結果が良好に得られる。
【００１３】
本実施の形態１では遠用アイポイントＥ１における加入割合は２１〜３２％とされる。加入割合とは全加入量に対する遠用アイポイントＥ１での加入量の比である。
このように本実施の形態１では加入割合が低く抑えられているため遠用アイポイントＥ１における遠方視が行いやすい（つまり３〜５ｍの比較的近くの遠距離がよく見える）こととなっている。
加入勾配は（Ｄ）は加入度（ＡＤＤ）及び固有累進帯長さ（λ）とした場合の次の関係式で示される。
Ｄ＝ＡＤＤ／λ
本実施の形態１では固有累進帯長さ（λ）を１９ｍｍに設定した。本実施の形態１での累進帯長さ、つまり遠用入り口Ｐ１から近用入り口Ｑ１の長さは２１ｍｍとされ固有累進帯長さよりも長く設定される。
【００１４】
次に図２及び図３に基づいて上記レイアウトに従って設計した具体的な中近タイプの累進屈折力レンズ１について説明する。累進屈折力レンズ１の主要データは以下の通りである。
加入度：２．０Ｄ
累進帯長さ２１ｍｍ
加入勾配（２．０／１９）：０．１０５（Ｄ／ｍｍ）
遠用アイポイントにおける加入割合：２６％
遠用入り口の位置：遠用アイポイントから５ｍｍ
近用入り口の位置：遠用アイポイントから１４ｍｍ
明視幅（遠用入り口での０．５Ｄ幅）：８．７ｍｍ
明視幅（累進領域最狭部での１．０Ｄ幅）：１４．４ｍｍ
明視幅（近用入り口での１．０Ｄ幅）：１８．８ｍｍ
累進領域最狭部及び近用入り口における明視幅の割合：７７％
図２の累進屈折力レンズ１と図７に示す従来の中近タイプの累進屈折力レンズ３との非点収差を比較した場合、累進屈折力レンズ１は累進領域及び遠用部領域での明視幅が大きく中距離〜遠距離にかけて従来のレンズ３に比べて非常に見やすい特性となっている。
また、従来に比較して加入勾配が小さくなることから度数分布において図８に示すように特に遠用部領域での加入度が穏やかになるため遠用視に適することとなる。
このようなレンズ特性とすることによって累進帯長さに対応する加入勾配が大きくなる（グラフ上では傾斜が緩やかになる）。加入勾配が大きいため近用入り口に近づくにつれて十分な加入度を得られるため中距離から近距離にかけて非常に見やすいレンズ特性を有する。一方、遠用アイポイントにおける加入割合が２５％と従来に比較してかなり小さくなるため、中近タイプの累進屈折力レンズ１であっても遠距離を目視することに極端に見にくくなることがない。
【００１５】
（実施の形態２）
本実施の形態２は図４に示すようなレイアウトに従ってレンズ設計がなされている。同図においてＯは幾何中心、Ｅ１は遠用アイポイント、Ｅ２は近用アイポイント、Ｐ１は遠用入り口、Ｑ１は近用入り口、Ｐ２は遠用度数測定位置、Ｑ２は近用度数測定位置、Ｉはインセット量である。
実施の形態２において実施の形態１と異なる点は遠用入り口Ｐ１が実施の形態１よりも上方位置に配置されること及びこれに伴って遠用度数測定位置Ｐ２が上方位置にずれること並びに加入勾配が累進領域の上方域と下方域で異なっていることである。近用入り口Ｑ１については上記実施の形態１と同様である。そのためこれら異なる点のみを中心に説明しその他の説明は省略する。
実施の形態２における遠用入り口Ｐ１の位置は遠用アイポイントＥ１よりも１０〜１２ｍｍ上方位置に設定される。本実施の形態２では１０ｍｍ上方に設定した。以下に説明するように実施の形態２においては加入勾配が累進領域の上方域と下方域で異なり上方域の加入勾配が小さい（傾斜が急）ためこのような設定が許されることとなっている。
遠用アイポイントＥ１と一致あるいはごく近傍に勾配変化点Ｒが設定され、これよりも上方域についての加入勾配はこれよりも下方域の加入勾配よりも小さく設定されることとなる。勾配変化点Ｒは常に累進帯長さの１／３〜２／３の間に配置される。より具体的な特性としては累進領域の上方域では加入度は緩やかに移行し、累進領域の下方域では加入度は比較的速やかに移行する。本実施の形態２では勾配変化点Ｒは遠用アイポイントＥ１と一致する。
本実施の形態２においても固有累進帯長さ（λ）を１９ｍｍに設定した。
【００１６】
次に図５及び図６に基づいて上記レイアウトに従って設計した具体的な中近タイプの累進屈折力レンズ２について説明する。累進屈折力レンズ２の主要データは以下の通りである。
図６に示すように、実施の形態２のレンズ２では勾配変化点Ｒによって加入勾配が変化することから遠用入り口の位置は加入勾配が変化のない実施の形態１のレンズ１よりも５ｍｍ上方に位置することとなる。つまり、遠用アイポイントよりも上方の加入度は（５ｍｍ／１９ｍｍ）×２．００Ｄ≒０．５３とされる。遠用アイポイントよりも上方の累進帯長さは１０ｍｍとなる。
加入度：２．０Ｄ
累進帯長さ２４ｍｍ
累進領域の上方域での加入勾配（０．５３／１０）：０．０５３（Ｄ／ｍｍ）
累進領域の下方域での加入勾配（２．０／１９）：０．１０５（Ｄ／ｍｍ）
勾配変化点Ｒの位置：遠用アイポイントと一致
遠用アイポイントにおける加入割合：２６％
遠用入り口の位置：遠用アイポイントから１０ｍｍ
近用入り口の位置：遠用アイポイントから１４ｍｍ
明視幅（遠用入り口での０．５Ｄ幅）：７．０ｍｍ
明視幅（累進領域最狭部での１．０Ｄ幅）：１３．１ｍｍ
明視幅（近用入り口での１．０Ｄ幅）：１６．３ｍｍ
累進領域最狭部及び近用入り口における明視幅の割合：８０％
図５の累進屈折力レンズ１と図７に示す従来の中近タイプの累進屈折力レンズ３との非点収差を比較した場合、累進屈折力レンズ１は累進領域及び遠用部領域での明視幅が大きく中距離〜遠距離にかけて従来のレンズ３に比べて非常に見やすい特性となっている。また、累進領域の上方域での加入勾配が小さいため図９に示すように遠用部領域での加入が緩やかで遠用視に適している。
このようなレンズ特性とすることによって累進領域の下方域での累進帯長さに対応する加入勾配が大きくなる（グラフ上では傾斜が緩やかになる）。加入勾配が大きいため近用入り口に近づくにつれて十分な加入度を得られるため中距離から近距離にかけて非常に見やすいレンズ特性を有する。一方、遠用アイポイントにおける加入割合が２５％と従来に比較してかなり小さくなるため、中近タイプの累進屈折力レンズ１であっても遠距離を目視することに極端に見にくくなることがない。
更に累進領域の上方域では加入勾配が小さい、つまり度数変化が穏やかであるため中近タイプの累進屈折力レンズ１であるにも関わらず遠距離が見やすくなっている。
【００１７】
尚、この発明は、次のように変更して具体化することも可能である。
・上記実施の形態２では勾配変化点はちょうどアイポイントの高さであったが、上下方向に±３ｍｍ以内でずれてもよい。
・上記実施の形態では固有累進帯長さ（λ）を１９ｍｍに設定したがもちろんこれ以下の数値であっても構わない。
・上記実施の形態２では累進領域の上方域での加入勾配を累進領域の下方域での加入勾配よりも小さく設定したが、この設定を逆にしてもよい。
・上記実施の形態２では２つの異なる加入勾配が設定されていたが、これを３つ以上としてもよい。
・上記実施の形態２では２つの異なる加入勾配はそれぞれ変化率が一定（直線状態）であったが、必ずしも直線でなくともよい。
・上記図８の度数分布は一例であってユーザの視力特性、例えば近視であるか遠視であるかによって度数分布は変化しうる。例えば遠視気味のユーザであれば度数分布をやや上方にシフトさせるようにしてもよい。
・上記実施の形態１では遠用入り口の位置は、遠用アイポイント位置の上方４〜８ｍｍであったが、５〜７ｍｍでもよい。
・上記実施の形態２では遠用入り口の位置は、遠用アイポイント位置の上方１０〜１２ｍｍであったが、７〜１３ｍｍでもよい。
・上記各実施の形態では近用入り口の位置は、遠用アイポイント位置の下方１３〜１５ｍｍであったが、９〜１７ｍｍでもよい。
・上記のような度数変化面はレンズの表裏いずれか、あるいは両面に施しても構わない。
その他本発明の趣旨を逸脱しない態様で実施することは自由である。
【００１８】
本発明の目的を達成するために上記実施の形態から把握できるその他の技術的思想について下記に付記として説明する。
（１）前記所定の勾配変化点は少なくとも前記遠用アイポイントよりも下側にはないことを特徴とする請求項７又は８に記載の累進屈折力レンズ。
（２）  前記第１の屈折領域入り口の位置は前記遠用アイポイント位置よりも７〜１３ｍｍ上方に設定されていることを特徴とする付記１に記載の累進屈折力レンズ。
（３）プリズム屈折力の測定における水平位置は遠用入り口と近用入り口の中間位置から±０．５ｍｍの範囲内にあることを特徴とする請求項１〜１０若しくは付記１又は２のいずれかに記載の累進屈折力レンズ。
（４）プリズム屈折力の測定における水平位置は当該レンズのインセット量が３．０ｍｍよりも大きい場合には、近用アイポイントの耳側あるいは遠用アイポイントから鼻側に１．０ｍｍの範囲に設置することを特徴とする請求項１〜１０若しくは付記１又は２のいずれかに記載の累進屈折力レンズ。
【図面の簡単な説明】
【００１９】
【図１】本発明の実施の形態１における累進屈折力レンズの主要データをレイアウトした図。
【図２】実施の形態１における非点収差分布を示す図。
【図３】実施の形態１における加入勾配を説明するグラフ。
【図４】本発明の実施の形態２における累進屈折力レンズの主要データをレイアウトした図。
【図５】実施の形態２における非点収差分布を示す図。
【図６】実施の形態２における加入勾配を説明するグラフ。
【図７】従来のレンズにおける非点収差分布を示す図。
【図８】実施の形態１における度数分布を示す図。
【図９】実施の形態２における度数分布を示す図。
【図１０】遠用又は近用入り口の概念を説明するグラフ。
【符号の説明】
【００２０】
１〜３…累進屈折力レンズ、Ｅ１…遠用アイポイント、Ｌ…累進帯長さ、Ｐ１…第１の屈折領域入り口としての遠用入り口、Ｑ１…第２の屈折領域入り口としての近用入り口、Ｒ…勾配変化点。
【図１】
2008065358.tif 000003
【図２】
2008065358.tif 000004
【図３】
2008065358.tif 000005
【図４】
2008065358.tif 000006
【図５】
2008065358.tif 000007
【図６】
2008065358.tif 000008
【図７】
2008065358.tif 000009
【図８】
2008065358.tif 000010
【図９】
2008065358.tif 000011
【図１０】
2008065358.tif 000012